(57)【特許請求の範囲】
【請求項１】
保管中や輸送中のガスブッシングの下部を閉塞する閉塞容器の内部に、吸着剤を収納した長繊維布製の収納袋を粘着テープにより固定しておき、この吸着剤にガスブッシング内部の水分を吸着させることを特徴とするガスブッシングの内部乾燥方法。
【請求項２】
保管中や輸送中のガスブッシングの下部を閉塞する閉塞容器の内部に、吸着剤を収納した洗い晒し布製の収納袋を粘着テープにより固定しておき、この吸着剤にガスブッシング内部の水分を吸着させることを特徴とするガスブッシングの内部乾燥方法。
【請求項３】
粘着テープが合成樹脂フィルムを基材とし、アクリル系粘着剤層を有するものである請求項１または２記載のガスブッシングの内部乾燥方法。
【発明の詳細な説明】
【０００１】
【発明の属する技術分野】
本発明は、ガスブッシングの保管中や輸送中の期間を利用したガスブッシングの内部乾燥方法に関するものである。
【０００２】
【従来の技術】
高圧電路を絶縁支持するために使用されるガスブッシングは、内部に絶縁性能の高い六弗化硫黄ガスを封入することにより、小型でも良好な絶縁性能を維持している。しかし、ガス中に異物や水分が微量にでも存在するとその絶縁性能は大きく損なわれ、所定の性能が発揮されなくなるので、製造後、輸送、保管、現地据付に至る全工程において、内部の異物対策、吸湿対策は極めて厳格に管理されている。
【０００３】
一般にガスブッシングの構造は、図３に示すごとく、碍管１、中心導体２、上蓋３、内部電極４、取付フランジ５からなり、その下部は開放されているため、そのままの状態で輸送や保管を行うと、大気中から塵埃や水分が内部に侵入して絶縁性能を損なう原因となる。ガスブッシングは据付後、運転に入る前に内部の真空引きを行ったうえガス封入が行われる。この真空引き時に内部の水分の大半は除去されるが、内部部品の表面や碍管の内面に分子レベルで捕獲された水分の除去は容易でないので、限られた時間内に行う現地組立作業では水分の完全除去は難しい。
【０００４】
しかしガスブッシングの内部の水分は、乾燥した雰囲気に長時間さらされれば除去されることがわかっている。しかも一般にガスブッシングが運転に入る前には、数週間から数ヶ月間にわたる輸送と保管の期間がある。従ってその期間を利用して内部の乾燥を一層進めることは有用である。そのため輸送や保管時には、図３内に１点鎖線で表示したような専用の閉塞容器１０を用いてガスブッシングの下部を密封閉塞する。閉塞容器１０は、ガスブッシングの取付フランジ５との合わせ目に密封用のガスケット６を挟んだうえでボルトで固定される。なお図３は起立状態で書いてあるが、輸送や保管時には全体を水平に寝せるのが普通である。
【０００５】
さらに、ブッシング製造中に内部部品に吸着された水分を除去するために、内部の真空引きと乾燥空気の充填を行うとともに、閉塞容器１０の一部位に乾燥のための吸着剤（水分吸着剤）を収納しておく方策が採られる。この吸着剤は、輸送および保管という比較的長い時間にわたりガスブッシング内部の付着水分を吸収し続けるので、真空引きでは除去し得なかった水分をも取り去り、内部を完全乾燥することができる。
【０００６】
このための吸着剤としては、専らゼオライトが用いられている。しかしゼオライトは砕け易く、万一砕けたゼオライトがガスブッシングの内部の高電界部位に侵入すると、それ自身が有害な異物となって絶縁性能を損なう。従って従来から、そのような不具合の起こらない工夫がなされている。
【０００７】
その一般的な方法は、図４に示すように閉塞容器１０の一部位にラス板（多数の孔をあけた板）１１を嵌めた窓１２を設け、それに合う大きさの開口部を持つ金属製の吸着剤収納容器１３に吸着剤を収納して外の大気とはガスケット１４で密封した状態で取りつけ、吸着剤収納容器１３と閉塞容器１０とは気体流通できるようにする。ブッシング内の水分は内部の気体に水蒸気として蒸発するが、それは気体の拡散運動によって吸着剤収納容器１３内の吸着剤まで達してそこで捕獲される。窓１２のラス板１１の孔を十分に小さく設計しておけば、例え吸着剤が輸送中の振動などによって砕けても、ラス板１１を通過してブッシング内部に侵入する恐れはない。しかしながら、従来のこの方式には下記のような望ましくない点があった。
【０００８】
第１に、乾燥の効率が悪いことである。水蒸気が吸着剤に達するためには、ラス板１１を通過してその奥まった所に位置する吸着剤収納容器１３内の吸着剤にまで拡散運動で移動せねばならないが、ラス板１１が障害となって拡散運動がかなり阻害されるので、乾燥の能率は大変劣ることとなる。ブッシングは長尺な形状をしており、吸着剤を設けられるのは下端の閉塞容器１０のところだけであるので、ブッシング全体が十分乾燥するためには、内部の空気が吸着剤によってより速く乾燥されることが重要であるが、この従来構造では能率が悪く、それが達成されがたい。
【０００９】
第２に、ラス板１１の孔はどのように小さくしたとしても製造上の限度があり、mm単位以下にはできないので、１mm程度に砕けた吸着剤はラス板１１の孔を通過してこぼれ出てブッシング内部に侵入する恐れがある。第３に、閉塞容器１０に窓１２を設けてラス板１１を嵌める加工、吸着剤収納容器１３の製造、その取り付けのためのねじ部品の用意などにかなりの製造コストがかかる。第４に、吸着剤収納容器１３の着け外しは手間がかかり、さらに、その取付部の外気に対する密封が完全であるかどうかの検査も必要である。
【００１０】
【発明が解決しようとする課題】
本発明は上記した従来の問題点を解決して、乾燥効率がよく、吸着剤がこぼれ出すおそれがなく、手数やコストがかからず、しかも吸着剤装着部の密封検査も不要なガスブッシングの内部乾燥方法を提供するためになされたものである。
【００１１】
【課題を解決するための手段】
上記の課題を解決するためになされた請求項１の発明のガスブッシングの内部乾燥方法は、保管中や輸送中のガスブッシングの下部を閉塞する閉塞容器の内部に、吸着剤を収納した長繊維布製の収納袋を粘着テープにより固定しておき、この吸着剤にガスブッシング内部の水分を吸着させることを特徴とするものである。また同一の課題を解決するためになされた請求項２の発明のガスブッシングの内部乾燥方法は、保管中や輸送中のガスブッシングの下部を閉塞する閉塞容器の内部に、吸着剤を収納した洗い晒し布製の収納袋を粘着テープにより固定しておき、この吸着剤にガスブッシング内部の水分を吸着させることを特徴とするものである。いずれの発明においても、粘着テープが合成樹脂フィルムを基材とし、アクリル系粘着剤層を有するものであることが好ましい。
【００１２】
本発明によれば、閉塞容器の内部に吸着剤を収納した収納袋を粘着テープにより固定しておき、この吸着剤にガスブッシング内部の水分を直接吸着させるため、従来に比較して乾燥効率がよい。また吸着剤がこぼれ出すおそれがなく、手数やコストもかからない。しかも閉塞容器の内部に直接収納袋を固定するので、従来のような吸着剤装着部の密封検査も不要となる。本発明によれば、保管中や輸送中の長期間を有効に利用して、ガスブッシング内部を十分に乾燥させることが可能となる。
【００１３】
【発明の実施の形態】
以下に本発明の好ましい実施形態を示す。
図１に示すように、請求項１の発明では保管中や輸送中のガスブッシングの下部を閉塞する閉塞容器１０の内部に、吸着剤２１を収納した長繊維布製の収納袋２０を粘着テープ３０により固定する。吸着剤２１は図２に示すようなゼオライト等の粒状体である。収納袋２０の口は同じく長繊維製またはナイロンやテトロンなど非発塵性で非吸湿性の紐２２で縛り、口を閉じておく。
【００１４】
前記したように、ガスブッシングの内部に異物が微量にでも存在すると絶縁性能が大きく損なわれ、所定の性能が発揮されなくなるので、収納袋２０が発塵性のものであってはならない。通常の繊維は原材料を所定長さに切断したものを糸に紡いだものであるから、糸屑や塵埃を発生するので使用することは不適当である。しかし原材料の段階で切断されていないエンドレスの繊維である長繊維で作成された収納袋２０は、糸屑や塵埃を発生するおそれがない。
【００１５】
長繊維の材質としては、ポリエステル、ポリプロピレン、ナイロン、ガラス繊維、アクリル系繊維などを挙げることができる。また糸にうねりを持たせた加工糸を用いれば布がふくらみをもって通気性が向上するため、より好ましい吸湿効果を得ることができる。
【００１６】
収納袋２０の布の目は従来のラス板１１の孔に比較して十分に小さいので、仮に吸着剤２１が砕けた場合にも、外部へのこぼれ出しを防止することができる。吸着材２１が砕けたときに極めて微粉となることが予想される場合には、極細長繊維の適当なグレードのものを用いれば、微粉のこぼれ出しも完全に防止することができる。
【００１７】
この収納袋２０を閉塞容器１０の内部に固定するには、粘着テープ３０が用いられる。繊維性ガムテープなどは端部から繊維が離脱し易く、吸湿もし易い。また紙製粘着テープも吸湿し易い。繊維性や紙製の基材に吸着された水分は、水分と繊維質との結合が比較的滴強いので容易に取れないから、ガスブッシング内部の乾燥度を悪くする。乾燥を完全にするためには長時間の真空引きが必要となり作業効率が悪い。これに対してポリエステルフィルムのような合成樹脂フィルムを基材としているテープは、水分がしみ込まない性質であるので好ましい。
【００１８】
また、長期間の保管中に粘着テープ３０の粘着剤が夏の高温などによって劣化し、粘着テープ３０が剥がれてしまうと、吸着剤２１が袋ごとガスブッシング内部に侵入して絶縁を損なう。このような事故を防止するためには、粘着剤の選択が重要である。温度変化によって劣化する粘着剤を使用したもの、例えばゴム系粘着剤を用いているガムテープなどは多くの場合、一夏を越すだけで剥がれ落ちるので使用できない。
【００１９】
本発明者は粘着剤の耐久性試験を行なった結果、アクリル系粘着剤を用いれば５０℃の温度下で１年以上の耐久性があることを確認した。試験は厚さ０.１mm、幅５０ｍｍのポリエチレンシートをループ状に曲げてその端部間を粘着剤を変えた各種の粘着テープでつなぎ、その内部に質量１８５ｇの棒状の錘を入れたものを様々な環境中に吊るして曝露し、粘着テープのズレや剥離を観察する方法で行なった。
【００２０】
その結果、ゴム系粘着剤を用いたガムテープは、屋外、屋内ともに２週間でズレが発生し、１８日を経過した後から剥がれ始めた。また５０℃の高温雰囲気下では、９日でズレが発生した。これに対してアクリル系粘着剤を用いたガムテープは、屋外、屋内ともに１４２日を経過してもズレや剥離はなかった。また５０℃の高温雰囲気下でも異常は観察されなかった。
【００２１】
従って、合成樹脂フィルムを基材とし、アクリル系粘着剤層を有する粘着テープ３０を用いれば、それ自体に吸湿性がないうえ、長期間にわたり高温雰囲気中に置かれた場合にも変化がなく、収納袋２０を安定して保持させることができる。
【００２２】
以上に説明した請求項１の発明では、吸着剤を収納するために長繊維布製の収納袋２０を用いたが、請求項２の発明では洗い晒し布製の収納袋が用いられる。洗い晒し布は意図的に何度も水洗を繰り返すことにより、大半の離脱製くずや微粉を除去した布である。微粉除去効果を高めるためには、超音波洗浄を行なうことが好ましい。洗い晒し布は長繊維布ほどの完全な異物発生防止効果は得られないが、長繊維布よりも価格が大幅に安い利点があり、実用的である。
【００２３】
以上に説明した本発明のガスブッシングの内部乾燥方法によれば、収納袋２０が閉塞容器１０の内部に固定されており、従来のような奥まった所にはないため、収納袋２０の全体が流通面となって気体との接触面積が大きいため気体流通がよく、乾燥効率を高めることができる。袋の周囲の空気は速やかに乾燥され、その乾燥空気が拡散してガスブッシングの内部全体を効率よく乾燥させることができる。従って、保管中や輸送中の期間を利用してガスブッシングの内部を十分に乾燥させることが可能となる。
【００２４】
また、吸着剤２１を収納した収納袋２０を粘着テープ３０で貼るだけでよいので、取り付けが簡単であり、長期保存によって吸着剤２１の寿命が来た場合にも簡単に取り替えることができる。しかも収納袋２０の布の目は十分に小さいので、吸着剤２１が砕けてもこぼれ出すことはない。さらに従来のように閉塞容器１０自体に孔を設けることがないため、外気との密封性に注意を払う必要もない。
【００２５】
【発明の効果】
以上に説明したように、本発明のガスブッシングの内部乾燥方法は、乾燥効率がよく、吸着剤がこぼれ出すおそれがなく、手数やコストがかからず、しかも吸着剤装着部の密封検査も不要であるなどの多くの利点を有するものであり、輸送や保管中の期間を利用してガスブッシングの内部を十分に乾燥させることができる。
【図面の簡単な説明】
【図１】本発明の実施形態を示す閉塞容器の斜視図である。
【図２】口部を閉じる前の収納袋の斜視図である。
【図３】ガスブッシングの中央縦断面図である。
【図４】従来技術を示す分解斜視図である。
【符号の説明】
１  碍管、２  中心導体、３  上蓋、４  内部電極、５  取付フランジ、６  ガスケット、１０  閉塞容器、１１  ラス板、１２  窓、１３  吸着剤収納容器、１４  ガスケット、２０  収納袋、２１  吸着剤、２２  紐、３０  粘着テープ
【図１】
0004003927.tif 000002
【図２】
0004003927.tif 000003
【図３】
0004003927.tif 000004
【図４】
0004003927.tif 000005